(57)【要約】【課題】樹脂レンズをホルダ（鏡筒、バレル）に取り付ける際に樹脂レンズが歪むのを抑制することができるレンズユニットを提供する。【解決手段】レンズユニットは、樹脂レンズ２２と、樹脂レンズ２２が嵌合する嵌合孔２５を有する第４ホルダ５とを備える。第４ホルダ５は、嵌合孔２５の内周面に周方向に間隔をあけて複数設けられるとともに、嵌合孔２５の内周面から突出して樹脂レンズ２２の外周面に複数箇所から当接することにより樹脂レンズ２２と嵌合する嵌合凸部２８が設けられている。この嵌合孔２５の内周面の嵌合凸部２８同士の間には、樹脂レンズ２２の外周面との間に間隔があけられた凹部３０を備える。凹部３０に接着剤が入れられて第４ホルダ５に樹脂レンズ２２が接着される。【選択図】図３
2015031930.tif 000002
【特許請求の範囲】
【請求項１】
樹脂レンズと、前記樹脂レンズが嵌合する嵌合孔を有するホルダとを備えるレンズユニットであって、
前記ホルダは、前記嵌合孔の内周面に周方向に間隔をあけて複数設けられるとともに、前記嵌合孔の内周面から突出して樹脂レンズの外周面に複数箇所から当接することにより前記樹脂レンズと嵌合する嵌合凸部と、
前記嵌合孔の内周面の前記嵌合凸部同士の間で前記樹脂レンズの外周面との間に間隔があけられた凹部とを備えることを特徴とするレンズユニット。
【請求項２】
前記ホルダは、前記嵌合孔の内周面から突出して設けられ、前記樹脂レンズの一方のレンズ面の外周部分に当接して前記樹脂レンズの光軸方向に沿った位置を決める位置決め部を備え、
前記嵌合凸部は、前記樹脂レンズの円筒状の外周面に対向する凹状の円弧面である対向面を備え、
前記対向面は、前記位置決め部に隣接して設けられるとともに、前記樹脂レンズの外周面に当接して前記樹脂レンズに嵌合する嵌合面と、
前記嵌合面の前記位置決め部の反対側に隣接して設けられるとともに、前記嵌合孔に挿入される前記樹脂レンズを案内するために、前記嵌合面より拡径された円弧面である案内面とを備え、
前記嵌合面の前記光軸方向に沿った長さが、前記樹脂レンズの外周面の前記光軸方向に沿った長さより短くなっていることを特徴とする請求項１に記載のレンズユニット。
【請求項３】
前記凹部に、硬化した際にゴム状になる接着剤が入れられることにより前記凹部で前記樹脂レンズの外周面と前記嵌合孔の内周面が接着されていることを特徴とする請求項１または請求項２に記載のレンズユニット。
【請求項４】
前記樹脂レンズは、前記樹脂レンズの射出成型時に切断されたゲートのゲート痕が、前記樹脂レンズの外周面から外側に突出して設けられ、
前記ゲート痕が前記凹部内に配置されていることを特徴とする請求項１から請求項３のいずれか１項に記載のレンズユニット。
【発明の詳細な説明】
【技術分野】
【０００１】
本発明は、樹脂レンズが組み込まれたレンズユニットに関する。
【背景技術】
【０００２】
家庭用のビデオカメラやデジタルスチルカメラでは、固定された撮像用のレンズと、移動するピント合わせ（フォーカス）、ズーム、手振れ補正等のためのレンズとを合わせて、複数のレンズを用いたレンズユニットが設けられている（例えば、特許文献１，２参照）。
このようなレンズユニットにおいて、従来のガラスレンズの一部に代えて樹脂レンズ（プラスチックレンズ）が用いられている。
【０００３】
このようなレンズユニットにおいては、固定されているレンズがレンズユニットのケースに固定的に設けられたホルダ（鏡筒、バレル）に支持され、ピント合わせやズーム用のレンズのように光軸方向に移動するレンズがケース内で光軸方向に移動自在なホルダに支持されている。また、手振れ補正レンズの少なくとも一部は、光軸方向をＸ方向とした場合に、Ｙ方向およびＺ方向に移動可能なホルダに支持されている。
【０００４】
例えば、円形の樹脂レンズは、ホルダの円筒形状の内周面を有する嵌合孔に押し込まれることにより、ホルダの円筒状の嵌合孔内に嵌合した状態に支持されるとともに、例えば、接着剤によりホルダに固定される。
【０００５】
また、樹脂レンズは、例えば、射出成形により成形され、成形時にゲートが切断されるが、たとえば、樹脂レンズのゲートを切断した後のゲート痕が、樹脂レンズの円筒状の外周面から突出した状態となると、上述のようにホルダの円筒状の嵌合孔に樹脂レンズを嵌合させる際にゲート痕が邪魔になる。さらに、上述のようにホルダに樹脂レンズを嵌合させることにより、ホルダの内周面に樹脂レンズの外周面が位置決めされ、樹脂レンズの光軸位置が合わせられることになるので、ゲート痕が樹脂レンズの位置決めの邪魔になる。
【０００６】
そこで、樹脂レンズのゲートを切断する際に、樹脂レンズの円形の外形より少し内側でゲートを切断することが行われている。この場合に、樹脂レンズの外形は、完全な円形とならずに、円の外周部分の一部が直線状になっている。
【０００７】
また、樹脂レンズの成形時に樹脂レンズを円形とせずに、最初から円の外周部分の一部を直線状に切断された形状に成形するとともに、この切断された形状の部分にゲートを設け、この部分でゲートを切断することにより、カットされたゲートのゲート痕が樹脂レンズの外形の円より内側に配置されるようにする場合もある。
【先行技術文献】
【特許文献】
【０００８】
【特許文献１】特許２０１２−２２０９２０号公報
【特許文献１】特許２０１２−５３２３０号公報
【発明の概要】
【発明が解決しようとする課題】
【０００９】
ところで、樹脂レンズは、上述のようにホルダに嵌合させる際に嵌合により生じる応力のために歪みを生じる虞がある。また、接着剤で固定する場合に、接着剤の硬化収縮により生じる応力のためにレンズに歪みを生じる。この場合に接着剤の種類や樹脂レンズの樹脂の種類等の条件にもよるが、０．５μｍから１．２μｍの歪みを生じる場合がある。
【００１０】
また、上述のようにゲート痕がレンズのホルダへの取り付けの邪魔にならないように外径を円形でなくしてしまうと、部分的に応力が集中し易くなり、歪み易くなってしまう。以上のように樹脂レンズが歪んでしまうと、樹脂レンズに必要とされる光学特性を満足させることができなくなる虞がある。
【００１１】
本発明は、前記事情に鑑みてなされたものであり、樹脂レンズをホルダ（鏡筒、バレル）に取り付ける際に樹脂レンズが歪むのを抑制することができるレンズユニットを提供することを目的とする。
【課題を解決するための手段】
【００１２】
本発明のレンズユニットは、樹脂レンズと、前記樹脂レンズが嵌合する嵌合孔を有するホルダとを備えるレンズユニットであって、
前記ホルダは、前記嵌合孔の内周面に周方向に間隔をあけて複数設けられるとともに、前記嵌合孔の内周面から突出して樹脂レンズの外周面に複数箇所から当接することにより前記樹脂レンズと嵌合する嵌合凸部と、
前記嵌合孔の内周面の前記嵌合凸部同士の間で前記樹脂レンズの外周面との間に間隔があけられた凹部とを備えることを特徴とする。
【００１３】
このような構成によれば、樹脂レンズをホルダの嵌合孔に押し込んで嵌合させた場合に、ホルダの嵌合孔の内周面に樹脂レンズの外周面と当接しない凹部を間に挟んで複数設けられた嵌合凸部だけが樹脂レンズの外周面に当接して嵌合することになる。
これにより、樹脂レンズの外周面の略全体と嵌合孔の内周面の略全体とが当接して嵌合する場合に比較して、樹脂レンズにかかる力を低減することが可能になり、樹脂レンズの歪みを低減できる。これにより、樹脂レンズに必要とされる光学特性を十分に得ることができる。
【００１４】
本発明の前記構成において、前記ホルダは、前記嵌合孔の内周面から突出して設けられ、前記樹脂レンズの一方のレンズ面の外周部分に当接して前記樹脂レンズの光軸方向に沿った位置を決める位置決め部を備え、
前記嵌合凸部は、前記樹脂レンズの円筒状の外周面に対向する凹状の円弧面である対向面を備え、
前記対向面は、前記位置決め部に隣接して設けられるとともに、前記樹脂レンズの外周面に当接して前記樹脂レンズに嵌合する嵌合面と、
前記嵌合面の前記位置決め部の反対側に隣接して設けられるとともに、前記嵌合孔に挿入される前記樹脂レンズを案内するために、前記嵌合面より拡径された円弧面である案内面とを備え、
前記嵌合面の前記光軸方向に沿った長さが、前記樹脂レンズの外周面の前記光軸方向に沿った長さより短くなっていることが好ましい。
【００１５】
このような構成によれば、嵌合凸部の樹脂レンズに対向する対向面の全体が樹脂レンズの外周面に当接するのではなく、嵌合孔に樹脂レンズを押し込んだ際の押し込み方向の前側の外周面だけが嵌合凸部の対向面の嵌合面に当接することになり、対向面全体が樹脂レンズの外周面に嵌合した場合よりも、樹脂レンズにかかる力を低減することが可能になり、樹脂レンズの歪みを低減できる。なお、嵌合面に隣接する円弧面である案内面は、樹脂レンズの外周面に当接する円弧面である嵌合面の径より大きな径の円弧面であるとともに、嵌合孔に挿入される樹脂レンズを案内する面なので、嵌合孔に嵌合した樹脂レンズの外周面に当接しないようになっている。この案内面に案内された状態で、嵌合孔に樹脂レンズを嵌合した場合に、樹脂レンズが嵌合孔の軸方向に対して傾いて挿入されるのを防止することが可能である。樹脂レンズを嵌合孔に少しでも傾いた状態で挿入すると、樹脂レンズに余計な力がかかり、樹脂レンズの歪みの要因になるが、案内面を設けることでこれを抑制できる。
【００１６】
また、本発明の前記構成において、前記凹部に、硬化した際にゴム状になる接着剤が入れられることにより前記凹部で前記樹脂レンズの外周面と前記嵌合孔の内周面が接着されていることが好ましい。
【００１７】
このような構成によれば、硬化するとゴム状になる接着剤を用いているので、例えば、硬化すると硬くなる接着剤が硬化収縮した場合に比較して、レンズで生じる応力を低減し、歪みの発生を抑制することができる。また、この場合に、レンズの外周面の全体が接着されるのではなく、凹部でだけ接着が行われるので、硬化収縮等による影響が有っても、それを低減することができる。また、嵌合凸部の間に生じる凹部を接着に有効利用することができる。
【００１８】
また、本発明の前記構成において、前記樹脂レンズは、前記樹脂レンズの射出成型時に切断されたゲートのゲート痕が、前記樹脂レンズの外周面から外側に突出して設けられ、
前記ゲート痕が前記凹部内に配置されていることが好ましい。
【００１９】
このような構成によれば、従来のように樹脂レンズが外周面の内側で切断された形状となっていないので、樹脂レンズの外周面に力が作用した場合に応力が集中しづらくなり、樹脂レンズの歪みを低減することができる。また、前記嵌合凸部の間に生じる凹部を有効利用することができる。
【発明の効果】
【００２０】
本発明によれば、樹脂レンズをホルダに取り付ける際に生じる樹脂レンズの歪みを低減することができるので、樹脂レンズに必要とされる光学特性を十分に満たすことができる。
【図面の簡単な説明】
【００２１】
【図１】本発明の実施の形態のレンズユニットを示す断面図である。
【図２】前記レンズユニットのホルダを示す正面図である。
【図３】前記ホルダとレンズを示す斜視図である。
【図４】前記ホルダとレンズを示す斜視断面図である。
【図５】前記ホルダとレンズを示す斜視断面図である。
【図６】前記レンズユニットを示す断面図である。
【図７】前記レンズユニットを示す要部断面図である。
【発明を実施するための形態】
【００２２】
以下、図面を参照しながら本発明の実施の形態について説明する。
この実施の形態のレンズユニットは、主に一般消費者用のビデオカメラに備えられる光学式ズーム機能と光学式手振れ補正機能を有するものであり、ガラスレンズと樹脂レンズとの両方が用いられている。
【００２３】
図１に示すように、この実施の形態のレンズユニットは、メインケース１と、メインケース１内に対物側（撮影対象側）から結像側（撮像素子側）に並んで複数（１３個）のレンズ１１〜２３が並んで配置されている。
【００２４】
最も対物側の４個のレンズ１１〜１４は、メインケース１に固定されるレンズであり、メインケース１の対物側の端部に固定的に設けられた第１ホルダ２に支持されている。これらレンズ１１〜１４はガラスレンズである。
【００２５】
第１ホルダ２の結像側には、ズーム用に光軸方向に沿って移動自在な第２ホルダ３が配置され、この第２ホルダ３には、３個のレンズ１５〜１７が支持されている。これらのレンズ１５〜１７は、ガラスレンズである。
【００２６】
第２ホルダ３の結像側には、手振れ補正用のレンズ１８，１９を支持する第３ホルダ４が配置されている。なお、第３ホルダ４は、メインケース１にレンズ１８を固定する部分と、レンズ１８に対してレンズ１９を光軸に直交する方向に移動自在に支持させる部分とからなっている。レンズ１８がガラスレンズとされ、レンズ１９が樹脂レンズになっている。
【００２７】
前記第３ホルダ４の結像側には、ピント合わせ用に光軸方向に沿って移動自在な第４ホルダ５が配置され、この第４ホルダ５には、３個のレンズ２０〜２２が支持されている。この３個のレンズ２０〜２２のうちの対物側の２個のレンズ２０，２１がガラスレンズであり、最も結像側のレンズ２２が樹脂レンズである。
【００２８】
また、第４ホルダ５の結像側、すなわち、最も結像側にはメインケース１に固定された第５ホルダ６が配置され、この第５ホルダ６にレンズ２３が支持され、このレンズ２３が樹脂レンズとされている。
【００２９】
このようなレンズユニットにおいて、樹脂レンズ１９、樹脂レンズ２２、樹脂レンズ２３は、略同様の取り付け構造によりそれぞれ第３ホルダ４、第４ホルダ５、第５ホルダ６に取り付けられている。
【００３０】
この実施の形態のレンズユニットの特徴部分である樹脂レンズのホルダへの取り付け構造を、第４ホルダ５への樹脂レンズ１１の取り付け構造を例にとって説明する。
図２から図７に示すように、第４ホルダ５は、対物側に２個のガラスレンズ２０，２１（図１に図示）が支持され、結像側に１個の樹脂レンズ２２が支持される。第４ホルダ５は、樹脂レンズ２２を含むレンズ２０〜２２を支持する嵌合孔２５を備える。
【００３１】
この嵌合孔２５の内周面には、内周面から内側に向かって突出する位置決め部２６が設けられている。この位置決め部２６は、円環状で板状に設けられたものであり、嵌合孔２５の軸方向に対して直交するように配置されている。この位置決め部２６の２つの側面は、それぞれ、嵌合孔２５の軸方向に対して直交する略平面となっている。
【００３２】
この位置決め部２６の結像側が樹脂レンズ２２を取り付ける部分であり、位置決め部２６の対物側がガラスレンズ２０，２１を取り付ける部分である。この位置決め部２６の内径は、嵌合孔２５に取り付けられる樹脂レンズ２２の外形より狭くなっており、嵌合孔２５に結像側から押し込まれる樹脂レンズ２２の対物側となる一方のレンズ面の外周部が位置決め部２６に当接して樹脂レンズ２２の光軸方向に沿った位置が決められる。
【００３３】
前記位置決め部２６の結像側の樹脂レンズ２２の外周部が当接する側の面は、２段となっており、嵌合孔２５の軸方向に沿った位置が異なる当接面２７と、非当接面２９とをそれぞれ複数ずつ備える。各当接面２７は、嵌合孔２５の軸方向に沿う位置が同じとされ、各非当接面２９は、嵌合孔２５の軸方向に沿う位置が同じとされている。また、当接面２７は、非当接面２９より結像側に配置さている。これにより、位置決め部２６の当接面２７だけが嵌合孔２５に嵌合する樹脂レンズ２２の一方のレンズ面の外周部に当接し、位置決め部２６の非当接面２９は、樹脂レンズ２２に接触しないようになっている。
【００３４】
また、当接面２７と非当接面２９は、円環状の位置決め部２６の周方向に沿って交互に設けられており、当接面２７が位置決め部２６の周方向に沿って等間隔に複数（６個）設けられるとともに、非当接面２９が周方向に沿って等間隔に複数（６固）設けられている。これら当接面２７の嵌合孔２５の周方向に沿った位置と、後述の凹部３０の位置とが対応し、これら非当接面２９嵌合孔２５の周方向に沿った位置と、後述の嵌合凸部２８の位置とが対応して配置されている。
【００３５】
この位置決め部２６より対物側の内周面には、位置決め部２６に位置決めされた樹脂レンズ２２の外周面に向かって嵌合孔２５の内周面から突出し、樹脂レンズ２２の外周面に当接する複数の嵌合凸部２８が設けられている。嵌合凸部２８は、嵌合孔２５の内周面に周方向に等間隔に並んで設けられており、この実施の形態では、６個の嵌合凸部２８が設けられている。
【００３６】
また、隣り合う嵌合凸部２８同士の間は、嵌合孔２５に嵌合している樹脂レンズ２２の外周面から離れている凹部３０となっている。したがって、嵌合孔２５の内周面は、凹凸が繰り返す形状となっており、嵌合凸部２８の部分で嵌合孔２５の内周面が樹脂レンズ２２の外周面に接触し、凹部３０の部分で嵌合孔２５の内周面が樹脂レンズ２２の外周面から離れている。これにより、６つの嵌合凸部２８は、６か所から樹脂レンズ２２の外周面に当接して樹脂レンズ２２に嵌合するようになっている。
【００３７】
また、さらに詳細に説明すると、図７に示すように、嵌合凸部２８の樹脂レンズ２２に対向する対向面３１は、樹脂レンズ２２の外周面の光軸方向に沿った幅と略同様な幅を有するとともに、この幅の半分程度の位置を境にして、位置決め部２６に隣接する側が嵌合面３２とされ、この嵌合面３２の位置決め部２６の反対側に隣接する部分が案内面３３とされている。
【００３８】
各嵌合凸部２８の嵌合面３２は、樹脂レンズ２２の円筒状の外周面の半径と略同じ曲率半径の円弧面であり、かつ、嵌合孔２５の中心軸を中心とする円弧面となっている。６個の嵌合面３２が樹脂レンズ２２の外周面に当接した状態となるように、樹脂レンズ２２を嵌合孔２５に押し込むことにより、樹脂レンズ２２が６個の嵌合凸部２８に嵌合した状態となる。この状態で、樹脂レンズ２２は、その光軸位置と、嵌合孔２５の中心軸とが一致するように位置決めされる。すなわち、嵌合面３２は、樹脂レンズ２２の外周面の対物側の半分の幅の部分に当接することにより、樹脂レンズ２２に嵌合するとともに、樹脂レンズ２２をその外周面により位置決めする。
【００３９】
案内面３３は、嵌合面３２の結像側、すなわち、位置決め部２６の反対側に隣接して設けられるとともに、案内面３３となる円弧面の半径が樹脂レンズ２２の外周面の半径より少し大きくなっており、嵌合面３２を樹脂レンズ２２の外周円に当接させた状態で、案内面３３は、樹脂レンズ２２の外周面から離れた状態となる。また、嵌合面３２の円弧の中心と、案内面３３の円弧の中心は一致している。
【００４０】
また、案内面３３は、嵌合孔２５の結像側の端まで設けられているとともに、案内面３３の嵌合面３２側の端部と、嵌合孔２５の結像側の端に対応する端部とは、それぞれ、位置決め部２６から離れるにつれて拡径する円錐面の一部となっており、嵌合孔２５に樹脂レンズ２２を挿入する際に、樹脂レンズ２２を嵌合孔２５の中心側に案内するようになっている。
【００４１】
すなわち、案内面３３は、樹脂レンズ２２を嵌合孔２５に押し入れる際に、案内面３３の結像側の端部で、複数の案内面３３の中心側に向けて樹脂レンズ２２を案内し、さらに、樹脂レンズ２２を案内面３３の位置から嵌合面３２の位置に移動させる際に、複数の嵌合面３２の中心側に樹脂レンズ２２を案内する。これにより、樹脂レンズ２２の光軸方向が嵌合孔２５の中心軸に対して斜めとなったまま樹脂レンズ２２が嵌合孔２５に嵌合するのを抑制する。
【００４２】
凹部３０は、嵌合孔２５に嵌合している樹脂レンズ２２に向く側と、結像側が開放されるとともに、対物側が閉塞された形状となっている。また、凹部３０は、樹脂レンズ２２を向く側が樹脂レンズ２２により閉塞されることになる。また、凹部３０の対物側を閉塞する面（凹部の結像側を向く面）は、位置決め部２６の結像側を向く面より、結像側に配置されている。これらの凹部３０の部分で、樹脂レンズ２２の外周面と嵌合孔２５の内周面との間に間隔があくとともに、この間隔となる部分の結像側が開放されている。
【００４３】
これらの凹部３０に、これらの凹部３０の結像側に開放した部分から接着剤が充填（注入）されており、この凹部３０の部分で互いに離れた樹脂レンズ２２の外周面と嵌合孔２５の内周面とが接着されている。
この接着剤は、粘度が高いことが好ましく、例えば、２００００〜５００００ｍＰ（２〜５Ｐａ・Ｓ）である。なお、粘度が低いと位置決め部２６と樹脂レンズ２２の一方のレンズ面の外周面に毛細管現象により接着剤が入り込み、位置決め部２６に位置決めされる樹脂レンズ２２の位置がずれる虞がある。
【００４４】
また、接着剤は、チキソ性を有するもの（高いもの）であることが好ましい。なお、チキソ性とは、力を加えない静止状態では固体状の形状が比較的維持されるものであり、例えば、壁面に塗布した際に、液だれしにくい特性を示すものである。
また、接着剤は、硬化した際にゴム状の柔軟性を示すものであることが好ましく、例えば、エラストマー系接着剤や、弾性接着剤（シリコーン系接着剤、変性シリコーン系接着剤、ウレタン系接着剤等）を用いてもよい。
【００４５】
前記樹脂レンズ２２は、外周面が円筒状に成形された樹脂レンズであるとともに、外周面から射出成形時に切断されたゲートのゲート痕４０が突出した状態となっている。このゲート痕４０が凹部３０内に配置されている。ゲート痕４０の樹脂レンズ２２の外周面からの突出長さは、凹部３０における樹脂レンズ２２の外周面と嵌合孔２５の内周面との距離より短くなっている。
【００４６】
次に、このようなレンズユニットにおける第４ホルダ５への樹脂レンズ２２の取り付け方法を説明する。第４ホルダ５を例えば結像側を向く面を上にして配置し、嵌合孔２５に樹脂レンズ２２を押し込む。この際に嵌合凸部２８の案内面により樹脂レンズ２２が案内されることによって、樹脂レンズ２２が嵌合孔２５に押し込まれる際に傾くのが防止される。
【００４７】
また、樹脂レンズ２２を嵌合孔２５に押し込む際に、樹脂レンズ２２のゲート痕４０が複数の凹部３０のいずれかに入る位置にする。これにより、樹脂レンズ２２の外周面からゲート痕４０が突出していても、嵌合孔２５への樹脂レンズ２２の挿入の邪魔になることがなく、かつ、樹脂レンズ２２の外周面による位置決めの邪魔になることがない。樹脂レンズ２２は、位置決め部２６に当接するまで嵌合孔２５に押し込まれる。
【００４８】
次に、凹部３０に接着剤をポッティングする。これにより、凹部３０で間隔をあけて対向している樹脂レンズ２２の外周面と嵌合孔２５の内周面（凹部３０の内面）を接着して、樹脂レンズ２２を第４ホルダ５に固定する。
【００４９】
このようなレンズユニットにおいては、ホルダ（第４ホルダ５）の嵌合孔２５に樹脂レンズ２２を嵌合した際に、樹脂レンズ２２の外周前全体に力が作用するのではなく、嵌合凸部２８の嵌合面３２に当接する部分だけに力が作用するので、樹脂レンズ２２の嵌合孔２５への嵌合による歪みを低減することができる。すなわち、樹脂レンズ２２の外周面の周方向に沿う長さの例えば半分程度で、かつ、樹脂レンズ２２の外周面の光軸方向に沿う長さの半分程度だけが嵌合面３２に嵌合するので、嵌合する力は弱くなるが、その分だけ樹脂レンズ２２にかかる力を低減し、樹脂レンズ２２の歪みを低減することができる。
【００５０】
また、接着剤による固定も凹部３０だけで行われるので、硬化収縮等により樹脂レンズ２２にかかる力を低減できる。
さらに、樹脂レンズ２２とホルダ（第４ホルダ５）との接着に、ゴム状に硬化する接着剤を用いることにより、硬化収縮等の接着剤から樹脂レンズ２２に作用する力を低減し、樹脂レンズの歪みを低減できる。
【００５１】
さらに、樹脂レンズ２２は、ゲート痕４０を外周面から突出した状態としているので、樹脂レンズの一部が直線的に切断された形状とはなっておらず、外周面が円筒形状（真円に近い形状）なので、歪み難く、さらに歪みを低減することができる。
【００５２】
これらのことか、樹脂レンズ２２をホルダの嵌合孔２５に嵌合して接着剤により接着する際に発生する樹脂レンズ２２の歪みを低減し、樹脂レンズ２２が本来有している光学特性が歪みにより悪化するのを防止することができる。
【符号の説明】
【００５３】
５        第４ホルダ（ホルダ）
２２      樹脂レンズ
２５      嵌合孔
２６      位置決め部
２８      嵌合凸部
３０      凹部
３２      嵌合面
３３      案内面
４０      ゲート痕
【図１】
2015031930.tif 000003
【図２】
2015031930.tif 000004
【図３】
2015031930.tif 000005
【図４】
2015031930.tif 000006
【図５】
2015031930.tif 000007
【図６】
2015031930.tif 000008
【図７】
2015031930.tif 000009